(57)【要約】【課題】アクティブフィルタのような高価な装置を使用しなくても済み、多パルス整流器が接続されても交流入力電流を確実に制限することが可能な汎用性のある空調制御装置を提供する。【解決手段】３相交流電圧を整流回路（２３）で整流し、得られた直流をインバータ主回路（２５）を介して可変周波数の交流に変換してコンプレッサモータ（２）を駆動するとき、整流回路の入力電流が電流設定値を超えないようにインバータ主回路を制御するに当たり、３相交流電源の３相交流電圧を入力し、この３相交流電圧に対して所定の角度だけ位相が異なる３相交流電圧を出力する変圧器（３２）、この変圧器から出力される３相交流電圧を整流して整流回路の出力側に供給する補助整流回路（３３，３４）を含み、整流回路に付加的に接続することが可能な多パルス整流器（３０）を接続可能とし、整流回路に多パルス整流器が接続されたとき、電流設定値を所定値だけ低下させるようにインバータ制御手段の制御パラメータを変更するパラメータ変更手段（２８Ａ）とを備える。【選択図】  図１
2004263882.tif 000002
【特許請求の範囲】
【請求項１】
３相交流電源から受電した３相交流電圧を整流する整流回路と、前記整流回路の出力を可変周波数の交流に変換し、冷凍サイクルを形成する圧縮機を駆動する電動機に供給するインバータ主回路と、前記整流回路の入力電流を検出する電流センサと、空調負荷に応じて前記圧縮機の能力を変更すると共に、前記電流センサによって検出される電流値が所定の電流設定値を超えないように前記インバータ主回路を制御するインバータ制御手段とを備えた空調制御装置において、
前記３相交流電源の３相交流電圧を入力し、この３相交流電圧に対して所定の角度だけ位相が異なる３相交流電圧を出力する変圧器の３相交流電圧出力を整流して前記整流回路の出力側に供給する多パルス整流器を付加的に接続することを可能とし、前記整流回路に前記多パルス整流器が接続されたとき、前記電流設定値を所定値だけ低下させるように前記インバータ制御手段の制御パラメータを変更するパラメータ変更手段と、
を備えたことを特徴とする空調制御装置。
【請求項２】
３相交流電源から受電した３相交流電圧を整流する整流回路と、前記整流回路の出力を可変周波数の交流に変換し、冷凍サイクルを形成する圧縮機を駆動する電動機に供給するインバータ主回路と、前記整流回路の入力電流を検出する電流センサと、空調負荷に応じて前記圧縮機の能力を変更すると共に、前記電流センサによって検出される電流値が所定の電流設定値を超えないように前記インバータ主回路を制御するインバータ制御手段とを備えた空調制御装置において、
前記３相交流電源の３相交流電圧を入力し、この３相交流電圧に対して所定の角度だけ位相が進んだ第１の３相交流電圧及び所定の角度だけ位相が遅れた第２の３相交流電圧を出力する変圧器のそれぞれの３相交流電圧出力を整流して前記整流回路の出力側に供給する多パルス整流器を付加的に接続することを可能とし、
前記整流回路に前記多パルス整流器が接続されたとき、前記電流設定値を所定値だけ低下させるように前記インバータ制御手段の制御パラメータを変更するパラメータ変更手段と、
を備えたことを特徴とする空調制御装置。
【請求項３】
前記インバータ制御手段は、前記整流回路の出力電圧を検出する電圧検出手段と、前記電圧検出手段の検出値に基づいて、前記整流回路に前記多パルス整流器が接続されたことを検知する接続検知手段と、前記パラメータ変更手段とを含むマイクロコンピュータを備え、前記マイクロコンピュータは前記整流回路に前記多パルス整流器が接続されたことを自動検知し、前記電流設定値に対応する制御パラメータを変更することを特徴とする請求項１又は２に記載の空調制御装置。
【請求項４】
前記パラメータ変更手段は、前記電流設定値に対応する制御パラメータを記憶させ、前記整流回路に前記多パルス整流器が接続されたとき、外部操作によって交換可能な不揮発性メモリでなり、前記インバータ制御手段は前記不揮発性メモリの制御パラメータに従って前記インバータ主回路を制御するマイクロコンピュータでなることを特徴とする請求項１又は２に記載の空調制御装置。
【請求項５】
前記整流回路に前記多パルス整流器が接続されたとき、外部操作によってオンオフ状態の切替が可能なスイッチ手段又はオン状態にするジャンパ線を備え、前記インバータ制御手段は、前記スイッチ手段又はジャンパ線の状態に基づいて、前記整流回路に前記多パルス整流器が接続されたことを検知する接続検知手段と、前記パラメータ変更手段とを含むマイクロコンピュータでなることを特徴とする請求項１又は２に記載の空調制御装置。
【発明の詳細な説明】
【０００１】
【発明の属する技術分野】
本発明は、３相交流電圧を整流し、可変周波数の交流に変換して冷凍サイクルを形成する圧縮機を能力制御するインバータ装置を備えた空調制御装置に関する。
【０００２】
【従来の技術】
圧縮機を能力制御するインバータ装置を備えた空調制御装置は、３相交流電圧を直流電圧に変換し、この直流電圧を可変周波数の交流に変換して冷凍サイクルを形成する圧縮機を駆動する電動機（以下、コンプレッサモータと称する）に供給する構成になっている。
【０００３】
図８はこの種の従来の空調制御装置の構成を示す回路図である。同図において、空調制御装置１０は、電源端子板１１及びインバータ装置１２を備えている。インバータ装置１２は、整流回路１３、平滑コンデンサ１４、インバータ主回路１５、マイクロコンピュータ１６及びＣＴ１７を含んで構成される。ここで、整流回路１３の交流入力端が電源端子板１１の負荷側に接続され、この電源端子板１１の電源側に３相交流電源１が接続されている。整流回路１３の直流出力端には平滑コンデンサ１４が接続されると共に、インバータ主回路１５の直流入力端が接続されている。このインバータ主回路１５の交流出力端にコンプレッサモータ２が接続されている。そして、電源端子板１１に整流回路１３が接続されている経路に電流センサとしてのＣＴ１７が設けられ、このＣＴ１７の電流検出値や、図示を省略した室温センサの検出値等に基づいて、マイクロコンピュータ１６が、図示を省略した駆動回路を介して、インバータ主回路１５を制御するように構成されている。
【０００４】
上記の構成により、３相交流電源１から受電した三相交流電圧は整流回路１３によって全波整流され、この整流回路１３から出力された直流（脈流）が平滑コンデンサ１４によって平滑されてインバータ主回路１５に加えられる。インバータ主回路１５はＩＧＢＴ等のスイッチング素子が３相ブリッジ接続され、これらのスイッチング素子を所定の順序でオン、オフ制御することによってＰＷＭによる３相交流電圧が出力され、この３相交流電圧がコンプレッサモータ２に供給される。この場合、インバータ制御手段としてのマイクロコンピュータ１６は、コンプレッサモータ２が空調負荷に対応した空調能力を発揮するように、インバータ主回路１５のスイッチング素子のオン、オフ周波数を制御すると共に、ＣＴ１７の検出値に基づいて、過電流状態にならないように、あるいは、所定の電流制限値を超えないようにオン、オフ周波数を制限する。
【０００５】
この場合、整流回路１３が交流を整流して直流に変換する際、直流側に大きな電流リップルが生じ、これが商用の３相交流電源１側で高調波となって様々な障害を引き起こす。この高調波を低減するための対策として、３相電源経路にアクティブフィルタを設けるのが一般的であった。
【０００６】
ところで、高調波を低減する他の対策として、３相交流電圧に対して所定の角度だけ位相がずれた３相交流電圧を出力する１台の変圧器と、この変圧器の出力を全波整流して直流に変換し、主回路の整流回路の出力経路に供給する２つの補助整流回路とを備えた「多パルス整流器（１８パルス整流器又は１２パルス整流器）」と呼ばれる整流器が提案されている（例えば、特許文献１参照。）。
【０００７】
【特許文献】
特開２００２−１０６４６号公報
【０００８】
【発明が解決しようとする課題】
上述したアクティブフィルタは高調波を低減するのに有効ではあるが、装置自体が高価であるため、空調制御装置の価格が高騰する一因になっていた。
一方、多パルス整流器はアクティブフィルタと比較すると低価格ではあるが、通常の空気調和機には適用し難いという問題があった。すなわち、インバータ主回路１５での消費電力を制限値以下に抑制するために、整流回路の交流入力経路の電流をＣＴ１７で検出し、マイクロコンピュータ１６は、この交流入力電流が予め設定した電流設定値を超えないように制御するが、既存の空調制御装置に多パルス整流器の構成要素を付加した場合、ＣＴ１７を迂回して３相交流が直流に変換されてインバータ主回路１５に供給される。このため、空気調和機の入力電流が設定値を超えているにも拘わらず、マイクロコンピュータ１６はＣＴ１７による電流検出値が電流制限値を超えないように制御するため、交流入力電流を制限できず、インバータ主回路１５の保護ができなくなるおそれがあった。
また、空気調和機における高調波対策の要否は、その空気調和機が設置される建物等の物件の受電設備の容量と、その受電設備の容量に占める空気調和機の消費電力量との比率に応じて決定されることから、実際には同じ空気調和機でも設置される物件に応じて高調波対策が必要な場合とそうでない場合が生じる。このため、空気調和機の空調制御装置としては、いずれの場合にも対応可能な汎用性のある空調制御装置が望まれる。
【０００９】
本発明は上記の事情を考慮してなされたもので、アクティブフィルタのような高価な装置を使用しなくても済み、多パルス整流器が接続されても交流入力電流を確実に制限することが可能な汎用性のある空調制御装置を提供することを目的とする。
【００１０】
【課題を解決するための手段】
請求項１に係る発明は、
３相交流電源から受電した３相交流電圧を整流する整流回路と、整流回路の出力を可変周波数の交流に変換し、冷凍サイクルを形成する圧縮機を駆動する電動機に供給するインバータ主回路と、整流回路の入力電流を検出する電流センサと、空調負荷に応じて圧縮機の能力を変更すると共に、電流センサによって検出される電流値が所定の電流設定値を超えないようにインバータ主回路を制御するインバータ制御手段とを備えた空調制御装置において、
３相交流電源の３相交流電圧を入力し、この３相交流電圧に対して所定の角度だけ位相が異なる３相交流電圧を出力する変圧器の３相交流電圧出力を整流して整流回路の出力側に供給する多パルス整流器を付加的に接続することを可能とし、整流回路に多パルス整流器が接続されたとき、
整流回路に多パルス整流器が接続されたとき、電流設定値を所定値だけ低下させるようにインバータ制御手段の制御パラメータを変更するパラメータ変更手段と、
を備えたことを特徴とする空調制御装置。
【００１１】
請求項２に係る発明は、
３相交流電源から受電した３相交流電圧を整流する整流回路と、整流回路の出力を可変周波数の交流に変換し、冷凍サイクルを形成する圧縮機を駆動する電動機に供給するインバータ主回路と、整流回路の入力電流を検出する電流センサと、空調負荷に応じて圧縮機の能力を変更すると共に、電流センサによって検出される電流値が所定の電流設定値を超えないようにインバータ主回路を制御するインバータ制御手段とを備えた空調制御装置において、
３相交流電源の３相交流電圧を入力し、この３相交流電圧に対して所定の角度だけ位相が進んだ第１の３相交流電圧及び所定の角度だけ位相が遅れた第２の３相交流電圧をそれぞれ出力する変圧器のそれぞれの３相交流電圧出力を整流して整流回路の出力側に供給する多パルス整流器整流回路を付加的に接続することを可能とし、
整流回路に多パルス整流器が接続されたとき、電流設定値を所定値だけ低下させるようにインバータ制御手段の制御パラメータを変更するパラメータ変更手段と、
を備えたことを特徴とする空調制御装置。
【００１２】
請求項３に係る発明は、請求項１又は２に記載の空調制御装置において、インバータ制御手段は、整流回路の出力電圧を検出する電圧検出手段と、電圧検出手段の検出値に基づいて、整流回路に多パルス整流器が接続されたことを検知する接続検知手段と、パラメータ変更手段とを含むマイクロコンピュータを備え、マイクロコンピュータは整流回路に多パルス整流器が接続されたことを自動検知し、電流設定値に対応する制御パラメータを変更することを特徴とする。
【００１３】
請求項４に係る発明は、請求項１又は２に記載の空調制御装置において、パラメータ変更手段は、電流設定値に対応する制御パラメータを記憶させ、整流回路に多パルス整流器が接続されたとき、外部操作によって交換可能な不揮発性メモリでなり、インバータ制御手段は不揮発性メモリの制御パラメータに従ってインバータ主回路を制御するマイクロコンピュータでなることを特徴とする。
【００１４】
請求項５に係る発明は、請求項１又は２に記載の空調制御装置において、整流回路に多パルス整流器が接続されたとき、外部操作によってオンオフ状態の切替が可能なスイッチ手段又はオン状態にするジャンパ線を備え、インバータ制御手段は、スイッチ手段又はジャンパ線の状態に基づいて、整流回路に多パルス整流器が接続されたことを検知する接続検知手段と、パラメータ変更手段とを含むマイクロコンピュータでなることを特徴とする。
【００１５】
【発明の実施の形態】
以下、本発明を図面に示す好適な実施形態に基づいて詳細に説明する。図１は本発明に係る空調制御装置の第１の実施形態の構成を示す回路図であり、特に、空調制御装置２０Ａに、１８パルス整流器の構成要素であるパルス整流器３０を付帯させたものである。
【００１６】
図１において、空調制御装置２０Ａは、電源端子板２１及び直流入力端子板２９にそれぞれ接続されるインバータ装置２２Ａを備えている。インバータ装置２２Ａは、整流回路２３、平滑コンデンサ２４、インバータ主回路２５、マイクロコンピュータ２６Ａ、ＣＴ１７及びＥＥＰＲＯＭ２８Ａを含んで構成されている。
【００１７】
ここで、整流回路２３の交流入力端が電源端子板２１の負荷側に接続され、この電源端子板２１の電源側に３相交流電源１が接続されている。整流回路２３の直流出力端には平滑コンデンサ２４が接続されると共に、インバータ主回路２５の直流入力端が接続されている。このインバータ主回路２５の交流出力端にコンプレッサモータ２が接続されている。そして、電源端子板２１に整流回路２３が接続される経路に電流センサとしてのＣＴ２７が設けられ、このＣＴ２７の電流検出値や、図示を省略した室温センサの検出値等に基づいて、マイクロコンピュータ２６Ａがインバータ主回路２５を制御するように構成されている。また、直流入力端子板２９の負荷側が整流回路２３の出力経路に接続されている。なお、マイクロコンピュータ２６Ａには、外部操作によって交換可能な不揮発性メモリとしてのＥＥＰＲＯＭ２８Ａが接続され、マイクロコンピュータ２６ＡはこのＥＥＰＲＯＭ２８Ａの制御パラメータに従ってインバータ主回路２５を制御する。
【００１８】
一方、パルス整流器３０は、電源端子板２１を介して、３相交流電源１に接続するための電源端子板３１と、この電源端子板３１を介して３相交流電圧を入力し、この３相交流電圧に対してベクトル的に約４０度だけ位相が進んだ３相交流電圧及び約４０度だけ位相が遅れた３相交流電圧をそれぞれ出力する変圧器３２と、この変圧器３２から出力される進み位相の３相交流電圧を整流する補助整流回路３３と、変圧器３２から出力される遅れ位相の３相交流電圧を整流する補助整流回路３４と、これらの補助整流回路３３，３４の各直流出力端を並列接続して、前述の直流入力端子板２９の電源側に接続するための直流出力端子板３５とで構成されている。
【００１９】
上記のように構成された第１の実施形態の動作について以下に説明する。３相交流電源１の３相交流電圧は整流回路（以下、他の整流回路と区別するため主整流回路と称す）２３によって全波整流され、出力された直流（脈流）が平滑コンデンサ２４で平滑されてインバータ主回路２５に供給される。ここで、マイクロコンピュータ２６Ａは、空調負荷に対応する周波数の３相交流電圧が出力されるようにインバータ主回路２５を制御すると共に、ＣＴ２７の電流検出値がＥＥＰＲＯＭ２８Ａに書き込まれた電流設定値を超えないように出力周波数を制限した制御を実行する。これによってコンプレッサモータ２は空調負荷に対応させて能力制御される。
【００２０】
周知の如く、インバータ主回路２５の出力周波数が高くなるほど、インバータ主回路２５に供給される直流電流のリップル分は増大し、３相交流電源１側の高調波成分も増大する。パルス整流器３０を構成する変圧器３２は、これに入力される３相交流電圧に対して大きさが等しく、位相が約４０度進んだ３相交流電圧及び位相が約４０度遅れた３相交流電圧を出力する。これらの出力のうち、進み位相の３相交流電圧は補助整流回路３３によって全波整流され、遅れ位相の３相交流電圧は補助整流回路３４によって全波整流される。補助整流回路３３及び３４の各出力端子は並列接続されているため、２つの直流分（脈流分）は合成され、直流出力端子板３５及び直流入力端子板２９を介して、主整流回路２３にインバータ主回路２５が接続される直流電流経路に供給される。これによって、主整流回路２３から出力される電圧リップルの谷間が埋められる。換言すれば、主整流回路２３から出力される電圧リップルの谷間を埋めるように補助整流回路３３及び３４が導通する。この結果、インバータ主回路２５に供給される直流電圧のリップルは小さくなり、電源側に現れる高調波成分も低減する。
【００２１】
第１の実施形態は、直流入力端子板２９を備える空調制御装置２０Ａに、パルス整流器３０が付加された構成になっているので、価格的に高価なアクティブフィルタを用いなくともパルス整流器３０を追設するだけで、インバータ主回路２５に供給される直流の電圧リップル及び交流電源側の高調波成分を低減することができる。
【００２２】
図２（ａ）はパルス整流器３０を備えていない空調制御装置２０Ａの３相交流電流の入力電流波形のシミュレーション結果であり、図２（ｂ）はパルス整流器３０を追設した場合の３相交流電流の入力電流波形のシミュレーション結果である。また、図３の電圧波形Ｐはパルス整流器３０を備えていない空調制御装置２０Ａの直流電圧波形の計測結果であり、電圧波形Ｑはパルス整流器３０を追設した場合の直流電圧波形の計測結果である。これらのシミュレーション結果及び計測結果からも明らかなように、パルス整流器３０を追設するだけで、インバータ主回路２５に供給される直流の電圧リップル及び交流電源側の高調波成分が低減される。
【００２３】
ところで、図１に示した第１の実施形態において、パルス整流器３０が設けられていない場合、コンプレッサモータ２を駆動する電力は全て主整流回路２３を通して供給される。これに対して、パルス整流器３０を追設した場合、主整流回路２３の他に補助整流回路３３及び３４からもコンプレッサモータ２の駆動電力が供給されるため、ＣＴ２７の検出電流は小さくなる。従って、パルス整流器３０を追設した場合には、主整流回路２３の電源側に設けたＣＴ２７の検出電流値が制限値を超えないように制御するための電流設定値を変更しなければならない。そこで、この実施形態では、パルス整流器３０の装着時に電流制限値を含む制御パラメータが書込まれたＥＥＰＲＯＭ２８Ａの交換を可能とし、パルス整流器３０を接続していない場合には電流設定値の大きい制御パラメータが書込みされたものを装着し、パルス整流器３０を接続した場合には電流設定値の小さい制御パラメータが書込みされたものを使用するように構成している。
【００２４】
図４は電流制限領域と通常運転域とを区分けする閾値を示した図で、パルス整流器３０の接続前では電流の上昇傾向のときは設定値Ａを、電流の下降傾向のときは設定値Ｂ（＜Ａ）をそれぞれ制限値としているのに対して、パルス整流器３０の接続後では電流の上昇傾向のときは設定値Ａ′（＜Ａ）を、電流下降傾向のときは設定値Ｂ′（＜Ｂ）をそれぞれ制限値とする。しかして、パルス整流器３０の接続前は設定値Ａ及び設定値Ｂが制御パラメータとして書込まれたＥＥＰＲＯＭ２８Ａが装着され、パルス整流器３０の接続後は設定値Ａ及び設定値Ｂが制御パラメータとして書込まれたＥＥＰＲＯＭ２８Ａと交換されることになる。
【００２５】
なお、この実施形態は、外部操作によって交換可能なＥＥＰＲＯＭ２８Ａの制御パラメータに従ってマイクロコンピュータ２６Ａがインバータ主回路２５を制御する構成のものについて説明したが、上述した設定値Ａ，Ｂ及び設定値Ａ′，Ｂ′を含む制御パラメータをマイクロコンピュータ２６Ａ自体のＲＯＭ等に持たせている場合、すなわち、ＥＥＰＲＯＭ２８Ａの機能を持たせたマイクロコンピュータを使用する場合には、図１に示したように、パルス整流器３０を接続する前と後とでオン、オフ状態が変わるスイッチ２８Ｂを設け、上述した設定値の切替をスイッチ２８Ｂの状態に応じて変更するように構成することも可能である。
【００２６】
図５（ａ）はパルス整流器を組み込んだ場合の空調制御装置２０Ａを収納する室外機４０の要部を示した斜視図であり、図５（ｂ）は室外機４０の内部に収容されるインバータボックス５０の正面板を除去した端子及びケーブル等の取付状態を示した斜視図である。これら、各図において、室外機４０の内部の一端部にインバータボックス５０及びパルス整流ボックス６０が装着されて、側面板４１によって覆われている。側面板４１の下端の一方（図面の右側の下端）に配管配線用パネル４１Ａが装着され、この配管配線用パネル４１Ａを通して、３相電源ケーブル４２及びアース線４３が導入され、インバータボックス５０に接続され、さらに、このインバータボックス５０とパルス整流ボックス６０とが直流電源ケーブル４５によって接続されている。インバータボックス５０の内部には、図１に示すインバータ装置２２Ａを構成する要素が実装されたプリント配線基板５１が装着されると共に、その下部に電源端子板２１、スイッチ２８Ｂ及び直流入力端子板２９等が装着されている。
【００２７】
この場合、インバータボックス５０の背面板に装着された電源端子板２１の電源側に前述した３相電源ケーブル４２及び４４が接続され、この電源端子板２１の負荷側が３相内部配線４６によってプリント配線基板５１に接続される。また、アース線４３はアースねじ５３によって電源端子板２１の近傍の背面板にねじ止めされる。また、電源端子板２１の側方に直流入力端子板２９とスイッチ２８Ｂとが装着され、このうち、直流入力端子板２９の電源側から直流電源ケーブル４５が接続され、その負荷側が図示を省略した接続線によってプリント配線基板５１に接続される。なお、上述した３相電源ケーブル４２、アース線４３、３相電源ケーブル４４及び直流電源ケーブル４５はインバータボックス５０の側面板５４を通して導出され、３相電源ケーブル４２は図示を省略した３相交流電源に接続され、アース線４３は接地され、３相電源ケーブル４４及び直流電源ケーブル４５はパルス整流ボックス６０に接続される。また、直流電源ケーブル４５の下部に装着されたスイッチ２８Ｂは、パルス整流器３０を設けないとき「通常」位置にあって、パルス整流器３０を追設したとき「１８Ｐ」の位置に切り換えられる。
【００２８】
かくして、第１の実施形態によれば、アクティブフィルタのような高価な装置を使用しなくても済み、また、多パルス整流器が接続されても交流入力電流を確実に制限可能な汎用性のある空調制御装置が提供される。
【００２９】
なお、第１の実施形態中、ＥＥＰＲＯＭ２８Ａを交換することと同様な動作をさせるためのスイッチ２８Ｂの代わりにジャンパ線で対応することも可能である。また、ＥＥＰＲＯＭの代わりに、電源を切ってもデータが消えないＲＯＭ等のメモリを用いても上述したと同様な効果が得られる。
【００３０】
図６は本発明に係る空調制御装置の第２の実施形態の構成を示す回路図であり、図中、第１の実施形態を示す図１と同一の要素には同一の符号を付してその説明を省略する。ここに示した空調制御装置２０Ｂを構成するインバータ装置２２Ｂは、図１中のＥＥＰＲＯＭ２８Ａやスイッチ２８Ｂを除去し、その代わりに主整流回路２３の出力電圧を検出する電圧検出機能と、この電圧検出機能の検出値に基づいて、パルス整流器３０が接続されたことを、例えば、図３の電圧波形の相違に基づいて検知する接続検知機能と、上記のパラメータ変更機能とを含むマイクロコンピュータ２６Ｂを備えた点が第１の実施形態と構成を異にしている。
【００３１】
このように構成することによって、マイクロコンピュータ２６Ｂは主整流回路２３にパルス整流器３０が接続されたことを自動検知し、電流設定値Ａ，Ｂを電流設定値Ａ′，Ｂ′に変更するような制御パラメータを用いて第１の実施形態と同様な制御を実行する。従って、インバータ装置２２Ｂにパルス整流器３０を付加的に接続するだけで、これ以外の人為的な操作が不要になることから、保守の手間が省けるだけでなく、部品の管理も容易化されるという利点も得られる。
【００３２】
かくして、第２の実施形態によっても、アクティブフィルタのような高価な装置を使用しなくても済み、また、多パルス整流器が接続されても交流入力電流を確実に制限可能な汎用性のある空調制御装置が提供される。
【００３３】
図７は本発明に係る空調制御装置の第３の実施の形態の構成を示す回路図であり、図中、第１の実施形態を示す図１と同一の要素には同一の符号を付してその説明を省略する。ここに示した空調制御装置は、冷凍サイクル中に２つのコンプレッサモータ２Ａ，２Ｂが並列接続され、これらのコンプレッサモータ２Ａ，２Ｂをそれぞれ駆動するために２台の空調制御装置２０Ａが設けられている。これら２台の空調制御装置２０Ａは３相交流電源１に共通接続されるが、直流入力端子板２９に直流電力を供給するパルス整流器３０は１台だけである。このパルス整流器３０は、進み位相の３相交流電圧を整流する補助整流回路３３の出力と、遅れ位相の３相交流電圧を整流する補助整流回路３４の出力を互いに独立して出力するための４回路の直流出力端子３６を備え、一方の直流出力をコンプレッサモータ２Ａを駆動する空調制御装置２０Ａに供給し、他方の直流出力をコンプレッサモータ２Ｂを駆動する空調制御装置２０Ａに供給する構成になっている。
【００３４】
ここで、コンプレッサモータ２Ａ及び２Ｂをほぼ同期させて駆動したとすれば、図１に示した第１の実施形態と比較してインバータ主回路２５に供給される電流のリップル分は僅かに大きくなるが、交流電源１側に発生する高調波成分は図１に示した第１の実施形態と略等しくなる。なお、コンプレッサモータ２Ａ及び２Ｂの一方を高能力で運転し、他方を低能力で運転したとしても空調制御装置２０Ａにそれぞれパルス整流器３０を設ける構成に近い特性が得られることが発明者等のシミュレーション結果から明らかになっている。
【００３５】
かくして、第３の実施形態によれば、２台の空調制御装置２０Ａを備える空気調和機であっても、アクティブフィルタのような高価な装置を使用しなくても済み、また、容易に適用することのできる空調制御装置が提供される。
【００３６】
【発明の効果】
以上の説明によって明らかなように、本発明によれば、アクティブフィルタのような高価な装置を使用しなくても済み、かつ、多パルス整流器が接続されても交流入力電流を確実に制限することが可能な汎用性のある空調制御装置を提供することができる。
【図面の簡単な説明】
【図１】本発明に係る空調制御装置の第１の実施形態の構成を示す回路図。
【図２】パルス整流器を備えていない空調制御装置と第１の実施形態とを比較するために、３相交流電流の入力波形のシミュレーション結果を示した波形図。
【図３】パルス整流器を備えていない空調制御装置と第１の実施形態とを比較するために、インバータ主回路に供給される直流電圧波形の計測結果を示した波形図。
【図４】第１の実施形態の動作を説明するために、電流制限領域と通常運転域とを区分けする閾値の変更状態を示した図。
【図５】第１の実施形態の主要素の装着状態を示す室外機の筐体の部分斜視図。
【図６】本発明に係る空調制御装置の第２の実施形態の構成を示す回路図。
【図７】本発明に係る空調制御装置の第３の実施形態の構成を示す回路図。
【図８】従来の空調制御装置の構成を示す回路図。
【符号の説明】
１  ３相交流電源
２  コンプレッサモータ
２０Ａ，２０Ｂ  空調制御装置
２１  電源端子板
２２Ａ，２２Ｂ  インバータ装置
２３  整流回路（主整流回路）
２４  平滑コンデンサ
２５  インバータ主回路
２６Ａ，２６Ｂ  マイクロコンピュータ
２７  ＣＴ（電流センサ）
２８Ａ  ＥＥＰＲＯＭ
２８Ｂ  スイッチ
２９  直流入力端子板
３０  パルス整流器
３１  電源端子板
３２  変圧器
３３，３４  補助整流回路
３５  直流出力端子板
４０  室外機
５０  インバータボックス
６０  パルス整流ボックス
【図１】
2004263882.tif 000003
【図２】
2004263882.tif 000004
【図３】
2004263882.tif 000005
【図４】
2004263882.tif 000006
【図５】
2004263882.tif 000007
【図６】
2004263882.tif 000008
【図７】
2004263882.tif 000009
【図８】
2004263882.tif 000010